【手続補正書】
【提出日】平成18年7月21日(2006.7.21)
【手続補正１】
【補正対象書類名】明細書
【補正対象項目名】特許請求の範囲
【補正方法】変更
【補正の内容】
【特許請求の範囲】
【請求項１】  サブタンクを有する画像形成装置において、装置本体に着脱可能なインクカートリッジを搭載し、前記インクカートリッジの着脱を検出する手段と、前記サブタンクに対して前記インクカートリッジのインクを供給する手段と、前記インクカートリッジが取り外された状態になったときに、出力画像の印刷を停止するか、または印刷中のページを印刷して停止するかを切り替える手段を備えることを特徴とする画像形成装置。
【請求項２】  請求項１に記載の画像形成装置において、前記切り替えは印写モード情報に基づくものであることを特徴とする画像形成装置。
【請求項３】  請求項１または２に記載の画像形成装置において、前記切り替えは用紙サイズ情報に基づくものであることを特徴とする画像形成装置。
【請求項４】  請求項１または２に記載の画像形成装置において、前記切り替えは印刷画像データ量に基づくものであることを特徴とする画像形成装置。
【請求項５】  請求項１または２に記載の画像形成装置において、前記切り替えは印刷画像データ量の内、未印字の残量に基づくものであることを特徴とする画像形成装置。
【請求項６】  請求項２に記載の画像形成装置において、前記切り替え手段は、前記印写モード情報が画質優先の指定であるときには、出力画像の印刷を停止し、速度優先の指定であるときには、印刷中のページを印刷して停止するように切り替えることを特徴とする画像形成装置。
【請求項７】  請求項２に記載の画像形成装置において、前記切り替え手段は、前記印写モード情報が普通紙以外の用紙種別指定であるときには、出力画像の印刷を停止し、普通紙の用紙種別指定であるときには、印刷中のページを印刷して停止するように切り替えることを特徴とする画像形成装置。
【請求項８】  請求項１に記載の画像形成装置において、前記切り替え手段は、残りの出力画像が設定された条件を満足するか否かによって、出力画像の印刷を停止するか、または印刷中のページを印刷して停止するかを切り替えることを特徴とする画像形成装置。
【請求項９】  請求項３乃至７のいずれか１つに記載の画像形成装置において、前記切り替え手段は、残りの出力画像が設定された条件を満足する場合には、前記印写モード情報が画質優先や普通紙以外の用紙種別の指定であっても、印刷中のページを印刷して停止するように切り替えることを特徴とする画像形成装置。
【請求項１０】  請求項８または９に記載の画像形成装置において、前記設定された条件は、１ページ分の残りを印刷できるインク残量であるとすることを特徴とする画像形成装置。
【請求項１１】  画像形成装置に、サブタンクと、着脱可能なインクカートリッジと、コンピュータとを搭載し、該コンピュータにより画像形成制御を行う駆動制御プログラムであって、前記コンピュータに、着脱可能なインクカートリッジの着脱を検出し、前記インクカートリッジが取り外された状態になったときに、指定された印刷品質、用紙種別や印刷の進行状況などを考慮して、出力画像の印刷を停止するか、または印刷中のページを印刷して停止するかを切り替えるように実行させることを特徴とする駆動制御プログラム。
【請求項１２】  請求項１１に記載の駆動制御プログラムを記録したコンピュータ読み取り可能な記録媒体。
【手続補正２】
【補正対象書類名】明細書
【補正対象項目名】００２０
【補正方法】変更
【補正の内容】
【００２０】
【課題を解決するための手段】
上述の課題を解決するために、本発明の請求項１は、サブタンクを有する画像形成装置において、装置本体に着脱可能なインクカートリッジを搭載し、前記インクカートリッジの着脱を検出する手段と、前記サブタンクに対して前記インクカートリッジのインクを供給する手段と、前記インクカートリッジが取り外された状態になったときに、出力画像の印刷を停止するか、または印刷中のページを印刷して停止するかを切り替える手段を備えることを特徴とする。
【手続補正３】
【補正対象書類名】明細書
【補正対象項目名】００２２
【補正方法】変更
【補正の内容】
【００２２】
また、本発明の請求項３は、請求項１または２に記載の画像形成装置において、前記切り替えは用紙サイズ情報に基づくものであることを特徴とする。
また、本発明の請求項４は、請求項１または２に記載の画像形成装置において、前記切り替えは印刷画像データ量に基づくものであることを特徴とする。
また、本発明の請求項５は、請求項１または２に記載の画像形成装置において、前記切り替えは印刷画像データ量の内、未印字の残量に基づくものであることを特徴とする。
また、本発明の請求項６は、請求項２に記載の画像形成装置において、前記切り替え手段は、前記印写モード情報が画質優先の指定であるときには、出力画像の印刷を停止し、速度優先の指定であるときには、印刷中のページを印刷して停止するように切り替えることを特徴とする。
【手続補正４】
【補正対象書類名】明細書
【補正対象項目名】００２３
【補正方法】変更
【補正の内容】
【００２３】
また、本発明の請求項７は、請求項２に記載の画像形成装置において、前記切り替え手段は、前記印写モード情報が普通紙以外の用紙種別指定であるときには、出力画像の印刷を停止し、普通紙の用紙種別指定であるときには、印刷中のページを印刷して停止するように切り替えることを特徴とする。
【手続補正５】
【補正対象書類名】明細書
【補正対象項目名】００２４
【補正方法】変更
【補正の内容】
【００２４】
また、本発明の請求項８は、請求項１に記載の画像形成装置において、前記切り替え手段は、残りの出力画像が設定された条件を満足するか否かによって、出力画像の印刷を停止するか、または印刷中のページを印刷して停止するかを切り替えることを特徴とする。
【手続補正６】
【補正対象書類名】明細書
【補正対象項目名】００２５
【補正方法】変更
【補正の内容】
【００２５】
また、本発明の請求項９は、請求項３乃至７のいずれか１つに記載の画像形成装置において、前記切り替え手段は、残りの出力画像が設定された条件を満足する場合には、前記印写モード情報が画質優先や普通紙以外の用紙種別の指定であっても、印刷中のページを印刷して停止するように切り替えることを特徴とする。
【手続補正７】
【補正対象書類名】明細書
【補正対象項目名】００２６
【補正方法】変更
【補正の内容】
【００２６】
また、本発明の請求項１０は、請求項８または９に記載の画像形成装置において、前記設定された条件は、１ページ分の残りを印刷できるインク残量であるとすることを特徴とする。
【手続補正８】
【補正対象書類名】明細書
【補正対象項目名】００２７
【補正方法】変更
【補正の内容】
【００２７】
また、本発明の請求項１１は、画像形成装置に、サブタンクと、着脱可能なインクカートリッジと、コンピュータとを搭載し、該コンピュータにより画像形成制御を行う駆動制御プログラムであって、前記コンピュータに、着脱可能なインクカートリッジの着脱を検出し、前記インクカートリッジが取り外された状態になったときに、指定された印刷品質、用紙種別や印刷の進行状況を考慮して、出力画像の印刷を停止するか、または印刷中のページを印刷して停止するかを切り替えるように実行させることを特徴とする。
【手続補正９】
【補正対象書類名】明細書
【補正対象項目名】００２８
【補正方法】変更
【補正の内容】
【００２８】
また、本発明の請求項１２は、請求項１１に記載の駆動制御プログラムを記録したコンピュータ読み取り可能な記録媒体である。